(57)【要約】【課題】リッドの開閉時にリッドと開口部との間に生じる隙間を狭くさせる。【解決手段】リッド８の矢印Ｘ２方向への開閉動作に伴い、ストッパー１４がカム２６をリッド８の出し入れされる側に押し上げることによって、軸１５がスリット１３に沿って斜め上方のパネル開口部１０の側に移動しながら軸支持ユニット１９の軸ばね３３を蓄勢させ、リッド８がパネル開口部１０の側に押し上げられ、リッド８とパネル開口部１０におけるリッド８の出し入れされる側の縁との間に生じる隙間Ｇ１が小さくなり、また、軸１５がスリット１３に沿って斜め上方に移動しながら軸支持ユニット１９の軸ばね３３を蓄勢させているので、隙間Ｇ１が一定に確保される。【選択図】図１
2010215071.tif 000002
【特許請求の範囲】
【請求項１】
リッドと、リッドで開閉される開口部と、開口部を形成した部材に設けられたリッド支持体と、リッドに設けられたブラケットと、リッドの回転中心を構成するブラケットに設けられた軸と、軸をリッドの開閉方向と交差する斜め方向に誘導するようにリッド支持体に設けられたスリットと、スリットに挿入された軸をリッドから離れる方向に付勢する軸ばねと、ブラケット設けられたカムと、リッドの開閉動作に伴ってカムに接触するストッパーとを備え、リッドの開閉動作によるカムとストッパーとの接触に伴いリッドの回転中心を構成する軸がリッドの出し入れされる側に移動されることを特徴とするリッド開閉装置。
【請求項２】
カムがギヤーとして構成され、ストッパーがギヤー付オイルダンパーとして構成されたことを特徴とする請求項１記載のリッド開閉装置。
【請求項３】
ブラケット及びリッド支持体のそれぞれ一対に構成され、一方のブラケットにはカムが設けられ、他方のブラケットにはギヤーが設けられ、一方のリッド支持体にはストッパーが設けられ、他方のリッド支持体にはギヤー付オイルダンパーが設けられことを特徴とする請求項１記載のリッド開閉装置。
【発明の詳細な説明】
【技術分野】
【０００１】
本発明は、リッドの開閉時にリッドと開口部との間に生じる隙間を狭くすることができるリッド開閉装置に関する。
【背景技術】
【０００２】
図１３は、従来のリッド開閉装置６を示す。図１３において、リッド開閉装置６は、リッド８が軸６１を回転中心として開閉するようになっている。しかしながら、軸６１が定位置に設置されているので、リッド８の軸６１がリッド８から離れるほど、リッド８の開閉時にリッド８とパネル開口部１０との間に生じる隙間Ｇ２が大きくなり、物が隙間Ｇ２からリッド開閉装置６の内部に落下する可能性が高い。なお、図１３おいて、４７はリッド８のブラケット２２に設けられたギヤー、４８はボックス３に設けられたギヤー付オイルダンパー４８であって、ギヤー付オイルダンパー４８のギヤーとギヤー４７とが互いに噛み合わせられる。そして、リッド８の開閉動作に伴いギヤー付オイルダンパー４８のオイルの中に浸されている羽根がギヤー付オイルダンパー４８のギヤーと一緒に回転してオイルから粘性による抵抗を受けて、リッド８の開閉速度が規制される。また、６２はリッドばねであって、捻じりばねにより構成される。リッドばね６２の一端部がボックス３に装着され、リッドばね６２の他端部がブラケット２２に装着される。そして、リッド８が閉じる際にリッドばね６２が蓄勢され、リッド８が開く際にリッドばね６２が蓄勢を放出する。
【先行技術文献】
【特許文献】
【０００３】
【特許文献１】特開２００２−３３１８７５号公報
【発明の概要】
【発明が解決しようとする課題】
【０００４】
発明が解決しようとする問題点は、リッドの開閉時にリッドとパネル開口部との間に生じる隙間が大きくなるという点である。
【課題を解決するための手段】
【０００５】
本発明に係るリッド開閉装置は、リッドの開閉動作によるカムとストッパーとの接触に伴いリッドの回転中心を構成する軸がリッドの出し入れされる側に移動されることを最も主要な特徴とする。
【発明の効果】
【０００６】
本発明に係るリッド開閉装置は、リッドが開閉する場合に、リッドと開口部との間に生じる隙間が狭くなるという利点がある。
【図面の簡単な説明】
【０００７】
【図１】実施の形態１のリッド開閉装置を示す側面図的な模式図。
【図２】実施の形態１のリッド開閉装置を示す分解図。
【図３】実施の形態１の軸支持ユニットを示す分解図。
【図４】実施の形態１の軸支持ユニット及びリッド支持体を示す分解図。
【図５】実施の形態１の軸支持ユニットがリッド支持体に取り付けられた態様を示す斜視図。
【図６】実施の形態１のリッドの開閉動作を説明する側面図的な模式図模式図。
【図７】実施の形態１のリッドの開閉動作を説明する側面図的な模式図模式図。
【図８】実施の形態１のリッドの開閉動作を説明する側面図的な模式図模式図。
【図９】実施の形態１のリッドの開閉動作を説明する側面図的な模式図模式図。
【図１０】実施の形態１のリッドの全開されたコンソールの態様を示す斜視図。
【図１１】実施の形態２のリッド開閉装置を示す側面図的な模式図。
【図１２】実施の形態３のリッド開閉装置を示す側面図的な模式図。
【図１３】対比例の側面図的な模式図。
【発明を実施するための形態】
【０００８】
本明細書における「前」、「後」、「左」、「右」、「上」、「下」の方向は、図１の状態にリッド開閉装置６を置いて図１の紙面の前側から見た場合に特定される方向である。
【０００９】
「実施形態１」
図１乃至図１０を参照し、実施の形態１に係るリッド開閉装置６について説明する。先ず、図１に示すように、実施の形態１は、リッド８の開閉動作に伴ってリッド８の回転中心を構成する軸１５がリッド８の出し入れされる側に移動されることによって、リッド８とパネル開口部１０との間に生じる隙間Ｇ１が小さくなる特徴を有する。つまり、図１に示す実施の形態１のようにリッド８の軸１５がリッド８の出し入れされる側に移動する構造であれば、隙間Ｇ１が隙間Ｇ２（図１３参照）よりも小さくなり、物が隙間Ｇ１からリッド開閉装置６の内部に落下する可能性が低減する。リッド８は、軸１５を回転中心として矢印Ｘ２方向に開閉する（矢印Ｘ２は、リッド８の開閉方向である）。
【００１０】
図２を参照し、リッド開閉装置６の構造についてコンソールに用いられた場合を例として説明する。コンソール１は、コンソールカバー２及びボックス３を備える。コンソールカバー２は、図外の車体構成体に設置され、コンソールの基盤を構成する。ボックス３は、コンソールカバー２の上壁部に設けられたカバー開口部４からコンソールカバー２の内部に設置され、物入れを構成する。カバー開口部４は、リッド８で開閉される開口部を構成する。
【００１１】
リッド開閉装置６は、トップパネル７、リッド８、リッドばね９を備える。トップパネル７は、リッド開閉装置６の基盤を構成し、コンソールカバー２の上壁部に取り付けられてカバー開口部４を塞ぐ。トップパネル７は、コンソールカバー２と別体に形成されたが、コンソールカバー２と同体に構成されてもよい。トップパネル７には、パネル開口部１０、リッド支持体１１が設けられる。トップパネル７がコンソールカバー２と同体に構成された場合、パネル開口部１０及びリッド支持体１１はコンソールカバー２に設けられる。
【００１２】
パネル開口部１０は、トップパネル７に上下方向に貫通する平面視角形な孔であって、リッド８で開閉される開口部を構成する。リッド支持体１１は、パネル開口部１０の前後方向に相対峙した一対であって、トップパネル７の裏面から下方に突出した板状として、トップパネル７に固定される。以下、リッド支持体１１がパネル開口部１０の前後方向に相対峙する場合を例示して説明するが、リッド支持体１１はパネル開口部１０の左右方向に相対峙する態様であってよい。
【００１３】
リッド支持体１１には、スリット１３、ストッパー１４、軸１５、ばね係留部１６、ラッチ１７、棚１８、軸支持ユニット１９が設けられる。スリット１３は、開閉するリッド８の出し入れされる側に配置され、後方から見て左から右に下り勾配を有し、軸１５をリッド８の開閉方向（図１の矢印Ｘ２方向）と交差する斜め方向に誘導するように斜め方向に長くかつ前後方向に貫通する縦長孔である。ストッパー１４は、スリット１３よりも斜め下方の先に配置され、リッド支持体１１の相対峙する側の内面から内側に突出し、リッド支持体１１に固定される。軸１５は、スリット１３に１個ずつ斜め方向に移動可能に挿入され、開閉するリッド８の回転中心を構成する。ばね係留部１６は、開閉するリッド８の出し入れされる側に設けられる。
【００１４】
ラッチ１７は、２本の腕２０の根元部が１回押されると２本の腕２０が閉じてリッド８の側のストライカー２５を掴み、その状態において２本の腕２０の根元部がもう１回押されると２本の腕２０が開いてストライカー２５を解放することができる構造であって、２本の腕２０を支持するラッチ１７の筐体がリッド支持体１１の内面に固定される。軸支持ユニット１９は、スリット１３に移動可能に挿入された軸１５に下方に向かう弾性的な荷重を与えるものであって、軸支持ユニット１９の筐体がリッド支持体１１の外面に固定される。軸支持ユニット１９及びその取り付けについては、図３乃至図５で詳述する。
【００１５】
図２において、リッド８は、トップパネル７に取り付けられ、トップパネル７のパネル開口部１０を開閉する。リッド８には、ブラケット２２が設けられる。ブラケット２２は、パネル開口部１０を経由してリッド支持体１１の内側に挿入されるように、前後方向に相対峙し、リッド８の裏面から下方に突出した板状として、リッド８に固定される。ブラケット２２には、軸用孔２３、ばね係留部２４、ストライカー２５、カム２６が設けられる。軸用孔２３は、軸１５を回転可能に挿入させる前後方向に貫通する丸孔である。ばね係留部２４は、リッド８の側に設けられる。
【００１６】
ストライカー２５は、ブラケット２２の外面から前方又は後方に突出するように、ブラケット２２に固定される。カム２６は、リッド８がパネル開口部１０を塞いだ全閉状態においてストッパー１４から離れており、リッド８が開閉すると、その開閉角度によってトップパネル７の側のストッパー１４に接触する。このカム２６がストッパー１４に接触すると、ブラケット２２がリッド８の開閉に伴いリッド８の出し入れされる側に押し上げられ、リッド８の軸１５が軸支持ユニット１９の弾性に抗してスリット１３に沿って斜め上方に移動させられ、リッド８とパネル開口部１０との間に生じる隙間Ｇ１（図１参照）が小さくなる。
【００１７】
図２において、リッドばね９は、コイルスプリングにより構成される。リッドばね９の上端部がリッド８の側のばね係留部２４に装着され、リッドばね９の下端部がトップパネル７の側のばね係留部１６に装着されることによって、リッドばね９がリッド８に開く方向の弾性的な荷重を与える。
【００１８】
ボックス３は、パネル開口部１０を経由してリッド８の側のブラケット２２の内側に挿入されるような箱形の容器である。ボックス３の上部にはボックス開口部２８が設けられる。ボックス開口部２８には、フランジ２９がボックス開口部２８から横方向外側に突出する。ボックス開口部２８が上に向けられ、ボックス３がパネル開口部１０を経由してブラケット２２の内側に挿入された場合、フランジ２９がリッド支持体１１の棚１８で支持される。フランジ２９には、逃避溝３０がリッド８の出し入れされる側に位置して設けられる。逃避溝３０は、上下方向及びリッド８の出し入れされる側に開口する。
【００１９】
次に、図３を参照し、軸支持ユニット１９の構造について説明する。軸支持ユニット１９は、ユニット容器３２、軸ばね３３、軸支持体３４を備える。ユニット容器３２には、内部収容部３６、収容開口部３７、逃避部３８、取付足３９が設けられる。内部収容部３６は、軸ばね３３及び軸支持体３４の一部を収容する空間として、ユニット容器３２の内部に配置される。収容開口部３７は、ユニット容器３２の一部が除去された態様である。逃避部３８は、ユニット容器３２の別の一部が除去された態様である。取付足３９は、複数設けられ、ユニット容器３２の外面から外側に突出した部材の先端にフック４０を有する。軸ばね３３は、コイルばねにより構成される。軸ばね３３は、スリット１３に挿入された軸１５をリッド８（図１参照）から離れる方向に付勢する。図３において、軸支持体３４は、一端部と他端部とが互いに直角に交差するように曲げられた板状からなる態様である。軸支持体３４の一端部には、軸用孔４１が設けられる。軸支持体３４の他端部には、突起４２が設けられる。
【００２０】
軸支持ユニット１９は、次のように組み立てられる。軸ばね３３と軸支持体３４の一部としての他端部とが収容開口部３７から内部収容部３６に収容されることによって、軸支持体３４の軸用孔４１を有する一端部が逃避部３８を経由してユニット容器３２よりも外側に突出し、軸ばね３３が軸支持体３４の他端部を逃避部３８の設けられたユニット容器３２の一側壁に押し付ける。軸ばね３３と軸支持体３４の他端部とが内部収容部３６に収容される場合、軸ばね３３の一端部が突起４２で支持されて、軸ばね３３の内部収容部３６からの脱落を防止することができる。
【００２１】
また、図４及び図５を参照し、軸支持ユニット１９がリッド支持体１１に取り付けられる構造について説明する。図４に示すように、リッド支持体１１には、ユニット取付孔４３が取付足３９の個数と同じ個数設けられる。そして、軸支持ユニット１９の取付足３９がユニット取付孔４３に挿入されることによって、取付足３９のフック４０がユニット取付孔４３から突出してユニット取付孔４３の周りのリッド支持体１１に装着される。これによって、図５に示すように、軸支持ユニット１９がリッド支持体１１に固定される。
【００２２】
図５において、軸支持体３４の軸用孔４１を有する一端部はスリット１３の下り勾配と平行する方向に移動可能であって、軸支持体３４の一端部がスリット１３の下り勾配と平行する方向に移動してユニット容器３２からの突出量が変化する。軸用孔４１には、スリット１３に移動可能に装着された軸１５の一部が回転可能に装着される。そして、軸支持体３４の一端部がユニット容器３２の内部に引き込まれる場合、軸１５が逃避部３８を通過する。
【００２３】
次に、図６乃至図９を参照し、リッド８の開閉動作について説明する。先ず、図６は、リッド８の全閉状態を示す。図６では、カム２６がストッパー１４から離れており、リッド８の軸１５が軸支持ユニット１９の軸ばね３３の弾性的な荷重で下方に押されてスリット１３の最下部に受け止められている。そして、ストライカー２５がラッチ１７に掴まれているので、リッドばね９の弾性によってリッド８が開くことはない。このようにリッド８が全閉した状態において、人がリッド８の自由端部の側を矢印Ｘ１で示すように下方に押すと、ラッチ１７がストライカー２５を解放し、リッド８がリッドばね９の収縮する弾性的な荷重で軸１５を回転中心として矢印Ｘ２方向に開き始める。このリッド８の開放が進行するのに伴って、図７に示すように、カム２６がストッパー１４に接触する。
【００２４】
引き続き、リッド８の開放がリッドばね９の収縮する弾性的な荷重で進行するのに伴って、図８に示すように、ストッパー１４がカム２６をリッド８の出し入れされる側に押し上げる。これによって、軸１５がスリット１３に沿って斜め上方に移動しながら軸支持ユニット１９の軸ばね３３を蓄勢させ、リッド８がパネル開口部１０の側に押し上げられ、リッド８とパネル開口部１０におけるリッド８の出し入れされる側の縁との間に生じる隙間Ｇ１が小さくなる。また、軸１５がスリット１３に沿って斜め上方に移動しながら軸支持ユニット１９の軸ばね３３を蓄勢させているので、隙間Ｇ１が一定に確保される。
【００２５】
更に、リッド８の開放がリッドばね９の収縮する弾性的な荷重で進行するのに伴って、図９に示すように、リッド８の裏面側の部分が例えばリッド支持体１１のリッド８の出し入れされる側の部分で受け止められ、リッド８が垂直な最も開放された全開の状態になる。リッド８が全閉状態から全開状態になるまでの間においては、軸支持ユニット１９の軸ばね３３による弾性的な荷重（上記蓄勢を放出する弾性）で軸１５をスリット１３に沿って斜め下方に押し下げる。そして、リッド８が全開状態になると、図９に示すように、カム２６がストッパー１４に接触したまま、軸１５がスリット１３の最下部に受け止められ、リッド８とパネル開口部１０との間の隙間Ｇ３が最も小さくなる（Ｇ１＞Ｇ３）。リッド８が全開された状態は、図１０に示される。
【００２６】
「実施の形態２」
図１１は、実施の形態２に係るリッド開閉装置６を示す。図１１において、リッド８のブラケット２２にはギヤー４７が設けられ、トップパネル７のリッド支持体１１にはギヤー付オイルダンパー４８が設けられ、ギヤー付オイルダンパー４８のギヤーとギヤー４７とが互いに噛み合わせられる。そして、リッド８が開閉動作すると、ギヤー付オイルダンパー４８のオイルの中に浸されている羽根がギヤー付オイルダンパー４８のギヤーと一緒に回転してオイルから粘性による抵抗を受けて、リッド８の開閉速度が規制される構造である。つまり、ギヤー付オイルダンパー４８はリッド８の開閉速度を制御する制動部材である。ギヤー４７は図１のカム２６に代わって設けられた部材であり、ギヤー付オイルダンパー４８は図１のストッパー１４に代わって設けられた部材である。
【００２７】
図１１に示したギヤー４７及びギヤー付オイルダンパー４８を図２に示したカム２６を廃止したブラケット２２の一方とストッパー１４を廃止したリッド支持体１１の一方とに設けることによって、図２に示したブラケット２２の他方のカム２６とリッド支持体１１の他方のストッパー１４との共同作業が行えるようにしてもよい。
【００２８】
「実施の形態３」
図１２は、実施の形態３に係るリッド開閉装置６を示す。図１２では、軸用孔２３
に挿入された軸５１がブラケット２２に固定された点が図１の軸１５と異なり、リッドばね５２が捻じりばねによって構成される点が図１のリッドばね９と異なり、軸ばね５３が引張ばねによって構成される点が図１の軸ばね３３と異なる。
【００２９】
具体的には、軸５１はリッド支持体１１のスリット１３に移動可能に挿入される。リッドばね５２のコイル部は、軸５１を離れて囲むように軸５１に外嵌装着される。リッドばね５２の一端部は、軸５１に固定される。リッドばね５２の他端部は、ブラケット２２に固定される。これによって、リッド８が閉じられるのに伴いリッドばね５２が蓄勢し、蓄勢したリッドばね５２がリッド８に開く方向への弾性を与える。軸ばね５３の一端部は、軸５１に装着される。軸ばね５３の他端部は、リッド支持体１１に設けられたばね係留部５４に装着される。これによって、カム２６がストッパー１４で押されてブラケット２２が矢印Ｘ３方向に移動するのに伴い軸ばね５３が蓄勢し、蓄勢した軸ばね５３がブラケット２２に矢印４方向への弾性を与える。
【００３０】
蓄勢したリッドばね５２の反力を利用して、軸５１に矢印Ｘ４方向の弾性的な荷重を与えることによって、軸ばね５３を廃止してもよい。
【００３１】
図１に示したリッド開閉装置６は、自動車のコンソール１以外の灰皿のリッド又は小物入れリッドにも使用可能である。
【符号の説明】
【００３２】
１はコンソール、２はコンソールカバー、３はボックス、４はカバー開口部、５は欠番、６はリッド開閉装置、７はトップパネル、８はリッド、９はリッドばね、１０はパネル開口部、１１はリッド支持体、１２は欠番、１３はスリット、１４はストッパー、１５は軸、１６はばね係留部、１７はラッチ、１８は棚、１９は軸支持ユニット、２０は腕、２１は欠番、２２はブラケット、２３は軸用孔、２４はばね係留部、２５はストライカー、２６はカム、２７は欠番、２８はボックス開口部、２９はフランジ、３０は逃避溝、３１は欠番、３２はユニット容器、３３は軸ばね、３４は軸支持体、３５は欠番、３６は内部収容部、３７は収容開口部、３８は逃避部、３９は取付足、４０はフック、４１は軸用孔、４２は突起、４３はユニット取付孔、４４乃至４６は欠番、４７はギヤー、４８はギヤー付オイルダンパー、４９；５０は欠番、５１は軸、５２はリッドばね、５３は軸ばね、５４はばね係留部、５５乃至６０は欠番、６１は回転中心、Ｇ１；Ｇ２は隙間。
【図１】
2010215071.tif 000003
【図２】
2010215071.tif 000004
【図３】
2010215071.tif 000005
【図４】
2010215071.tif 000006
【図５】
2010215071.tif 000007
【図６】
2010215071.tif 000008
【図７】
2010215071.tif 000009
【図８】
2010215071.tif 000010
【図９】
2010215071.tif 000011
【図１０】
2010215071.tif 000012
【図１１】
2010215071.tif 000013
【図１２】
2010215071.tif 000014
【図１３】
2010215071.tif 000015